(57)【要約】      （修正有）【課題】衝撃を受けたときに針が動くことを防ぐためにセッティング用歯車列を不動化する不動化デバイスを有するセッティング機構を提供する。【解決手段】計時器用ムーブメントのためのセッティング機構の不動化デバイスは、第１及び第２の不動化アーム２２、３０と、不動化車２０とを有し、第１及び第２の不動化アーム２２、３０は、セッティング用歯車列が不動化されているロック構成においては、不動化車２０と係合し、また、セッティング用歯車列と噛み合っていないアンロック構成においては、不動化車２０から分離されるように構成しており、不動化デバイスには、摺動ピニオン１６と係合しており第１及び第２の不動化アーム２２、３０と連係するように構成しているロック／アンロック用レバーがあり、これによって、ワインド用ロッド１０が稼働位置からセッティング位置へと、そして、その逆に、動くときに、ロック構成からアンロック構成へと移る。【選択図】図２ａ
2019066469.tif 000002
【特許請求の範囲】
【請求項１】
計時器用ムーブメントのためのセッティング機構であって、
セッティング用歯車列と、
動作位置である第１の軸方向の位置からセッティング位置である第２の軸方向の位置へと動くように構成しているワインド用ロッド（１０）と、
前記摺動ピニオンが前記セッティング用歯車列から分離されている第１の軸方向の位置から、前記摺動ピニオンが前記セッティング用歯車列と噛み合う第２の軸方向の位置へと、動くように構成している摺動ピニオン（１６）と、
前記摺動ピニオン（１６）と係合しており、前記ワインド用ロッド（１０）が稼働位置からセッティング位置に又はその逆に動いたときに回転するように構成しており、前記摺動ピニオンを前記第１の軸方向の位置から前記第２の軸方向の位置に又はその逆に動かすレバー（１４）と、及び
前記セッティング用歯車列を不動化する不動化デバイスと
を有し、
前記不動化デバイスは、第１及び第２の不動化アーム（２２、３０）と、及び前記セッティング用歯車列と係合している不動化車（２０）とを有し、
前記第１及び第２の不動化アームは、前記セッティング用歯車列が不動化されているロック構成においては、前記不動化車（２０）と係合しており、また、前記摺動ピニオン（１６）が前記セッティング用歯車列と噛み合っていないアンロック構成においては、前記不動化車（２０）から分離されているように構成しており、
このために、前記不動化デバイスには、前記摺動ピニオン（１６）と係合しており前記第１及び第２の不動化アーム（２２、３０）と連係するように構成しているロック／アンロック用レバー（４０）があり、
これによって、前記ワインド用ロッド（１０）が稼働位置からセッティング位置へと、そして、その逆に、動くときに、ロック構成からアンロック構成へと移る
ことを特徴とする機構。
【請求項２】
前記不動化車（２０）には、歯列があり、各歯の先端は、曲がった輪郭を有し、
前記第１及び第２の不動化アーム（２２、３０）はそれぞれ、微小な歯列がある曲がったエッジを有する部分（２８、３２）を有し、
前記曲がったエッジの曲率半径は、前記不動化車（２０）の末端の円の半径に実質的に対応している
ことを特徴とする請求項１に記載の機構。
【請求項３】
前記第１及び第２の不動化アーム（２２、３０）にある前記微小な歯列は、ロック構成において前記不動化車（２０）の歯列に対向するように、そして、互いに対称的であるように構成しており、これによって、両方の方向における前記不動化車の回転を防ぐ
ことを特徴とする請求項２に記載の機構。
【請求項４】
前記第１及び第２の不動化アーム（２２、３０）は、共通軸（３６）のまわりに互いに対して回転するように重なり合いマウントされており、
下側の不動化アーム（３０）及び上側の不動化アーム（２２）の曲がったエッジはそれぞれ、前記不動化車（２０）の歯列の下側部分及び上側部分と接触するように意図されている
ことを特徴とする請求項１〜３のいずれかに記載の機構。
【請求項５】
前記ロック／アンロック用レバー（４０）は、前記ワインド用ロッド（１０）が稼働位置からセッティング位置に又はその逆に動くときに、ピボット（４６）のまわりを回転するように構成しており、前記ピボットの両側に延在する２つのアーム（４２、４４）を有し、
その一方のアームの一端は、前記摺動ピニオン（１６）と係合しており、
他方のアームは、前記上側の不動化アーム（２２）と連係するように意図された遠位部（４４ａ）と、及び前記下側の不動化アーム（３０）と連係するように意図された近位部とを有する
ことを特徴とする請求項１〜４のいずれかに記載の機構。
【請求項６】
前記遠位部（４４ａ）は、前記上側の不動化アーム（３０）のまっすぐなフランク（２４）に支えられ、
前記近位部（４４ｂ）は、前記下側の不動化アーム（３０）の、好ましくはピン（３４）であるアクチュエート要素に支えられ又は支えられるように意図されており、
これによって、前記ロック／アンロック用レバー（４０）が前記摺動ピニオン（１６）の軸方向の運動によって回転するときに、前記不動化車（２０）の歯列から前記不動化アーム（２２、３０）を分離する
ことを特徴とする請求項５に記載の機構。
【請求項７】
前記不動化車（２０）は、前記セッティング用歯車列のタイマー車である
ことを特徴とする請求項１〜６のいずれかに記載の機構。
【請求項８】
前記不動化車は、前記セッティング用歯車列の標準的なタイマー車のシャフトにマウントされ、シャフトに固定される
ことを特徴とする請求項１〜６のいずれかに記載の機構。
【請求項９】
請求項１〜８のいずれかに記載の機構を有する計時器用ムーブメント。
【請求項１０】
請求項９に記載の計時器用ムーブメントを有する計時器。
【発明の詳細な説明】
【技術分野】
【０００１】
本発明は、衝撃を受けたときに針が動くことを防ぐためにセッティング用歯車列を不動化する不動化デバイスを有する、腕時計の計時器用ムーブメントのためのセッティング機構に関する。
【背景技術】
【０００２】
時刻をセッティングするときには、ワインド用ロッドに作用して、針を容易に回転することができなければならないが、腕時計が動いているときには害を及ぼさずに針を駆動しなければならない。この目的のために、一般的には、摩擦システムが設けられて、時刻を容易に調整することができることを確実にして、かつ、腕時計が稼働しているときに最終歯車列によって信頼性が高く針を駆動することができることを確実にする。
【０００３】
有名な摩擦システムとして、インデントがある。これは、中心ピニオンのロッド上のキャノンピニオンを調整することを伴う。これによって、「粗いこすり」を行って、最終歯車列を駆動せずにセッティングを行うことができる。このために、キャノンピニオンの厚みは、中央において薄くなっており、専用の工具によってはさまれて突起を形成し、この突起は、中心ピニオンのロッドに形成された円錐の形の切り込みを押す。
【０００４】
しかし、インデントは、キャノンピニオンと中心ピニオンのロッドの間の摩擦によって発生するトルクの値が最適値であることを確実にするための厳密な制御を必要とする専用の操作である。実際に、摩擦トルクが低すぎると、衝撃を受けたときに針のバランスが崩れて針が運動することになりうる。また、トルクが大きすぎると、セッティングのときに、セッティング用歯車列（摺動ピニオン／セッティング車／タイマー）又は最終歯車列（中心／平均／秒／エスケープ）を劣化させてしまうことがある。
【発明の概要】
【発明が解決しようとする課題】
【０００５】
したがって、本発明は、特に、従来技術の前記課題を緩和し、かつ、腕時計に大きな衝撃が与えられたときに時刻ディスプレーのいずれの飛びをも防ぐような、セッティング機構を提供することを目的とする。
【課題を解決するための手段】
【０００６】
このために、計時器用ムーブメントのための当該セッティング機構は、
セッティング用歯車列と、
動作位置である第１の軸方向の位置からセッティング位置である第２の軸方向の位置へと動くように構成しているワインド用ロッドと、
前記摺動ピニオンが前記セッティング用歯車列から分離されている第１の軸方向の位置から、前記摺動ピニオンが前記セッティング用歯車列と噛み合う第２の軸方向の位置へと、動くように構成している摺動ピニオンと、及び
前記摺動ピニオンと係合しており、前記ワインド用ロッドが稼働位置からセッティング位置に又はその逆に動いたときに回転するように構成しており、前記摺動ピニオンを前記第１の軸方向の位置から前記第２の軸方向の位置に又はその逆に動かすレバーと
を有する。
【０００７】
本発明に係るセッティング機構は、さらに、前記セッティング用歯車列を不動化する不動化デバイスを有する。この不動化デバイスは、前記不動化デバイスは、第１及び第２の不動化アームと、及び前記セッティング用歯車列と係合している不動化車とを有し、前記第１及び第２の不動化アームは、前記セッティング用歯車列が不動化されているロック構成においては、前記不動化車と係合しており、また、前記摺動ピニオンが前記セッティング用歯車列と噛み合っていないアンロック構成においては、前記不動化車から分離されているように構成している。このために、前記不動化デバイスには、前記摺動ピニオンと係合しており前記第１及び第２の不動化アームと連係するように構成しているロック／アンロック用レバーがあり、これによって、前記ワインド用ロッドが稼働位置からセッティング位置へと、そして、その逆に、動くときに、ロック構成からアンロック構成へと移る。
【０００８】
１つの有利な実施形態によると、前記不動化車には、歯列があり、各歯の先端は、曲がった輪郭を有する。前記第１及び第２の不動化アームはそれぞれ、微小な歯列がある曲がったエッジを有する部分を有する。前記曲がったエッジの曲率半径は、前記不動化車の末端の円の半径に実質的に対応している。これらの微小な歯列は、不動化デバイスのロック構成において不動化車の歯と接触するようになるように意図されている。不動化車と微小な歯列の歯の特定の輪郭は、ワインド用ロッドが稼働位置に戻されたときの時刻の訂正の後に針の変位を無視できるように不動化車の不動化の角度的な精度が十分に高いことを可能にするという利点がある。
【０００９】
１つの有利な実施形態によると、前記第１及び第２の不動化アームにある前記微小な歯列は、互いに対称的であるように構成しており、これによって、両方の方向における前記不動化車の回転を防ぐ。
【００１０】
１つの有利な実施形態によると、前記第１及び第２の不動化アームは、共通軸のまわりに互いに対して回転するように重なり合いマウントされており、下側の不動化アーム及び上側の不動化アームの曲がったエッジはそれぞれ、前記不動化車の歯列の下側部分及び上側部分と接触するように意図されている。別の実施形態によると、不動化用アームの一方又は双方には、２つのアームが同一高さで不動化車に支えられるように構成している微小な歯列がある部分に付加的な厚みがある。
【００１１】
１つの有利な実施形態によると、前記ロック／アンロック用レバーは、前記ワインド用ロッドが稼働位置からセッティング位置に又はその逆に動くときに、ピボットのまわりを回転するように構成している。前記ロック／アンロック用レバーは、前記ピボットの両側に延在する２つのアームを有する。その一方のアームの一端は、前記摺動ピニオンと係合しており、他方のアームは、前記上側の不動化アームと連係するように意図された遠位部と、及び前記下側の不動化アームと連係するように意図された近位部とを有する。
【００１２】
１つの有利な実施形態によると、前記遠位部は、前記上側の不動化アームのまっすぐなフランクに支えられる。一方で、前記近位部は、前記下側の不動化アームの、好ましくはピンであるアクチュエート要素に支えられ又は支えられるように意図されており、これによって、前記ロック／アンロック用レバーが前記摺動ピニオンの軸方向の運動によって回転するときに、前記不動化車の歯列から前記不動化アームを分離する。
【００１３】
１つの有利な実施形態によると、前記不動化車は、前記セッティング用歯車列のタイマー車である。
【００１４】
別の実施形態によると、前記不動化車は、前記セッティング用歯車列の標準的なタイマー車のシャフトにマウントされ、シャフトに固定される。
【００１５】
添付の図面を参照しながら下の説明（本発明を限定するものではない）を読むことで、他の特定の特徴及び利点についても明確に理解することができるであろう。
【図面の簡単な説明】
【００１６】
【図１】本発明の１つの有利な実施形態に係るセッティング機構についての不動化デバイスがロック構成となっているときの斜視図である。
【図２ａ】図２ａは、図１の平面図である。
【図２ｂ】図２ｂは、不動化デバイスがアンロック構成となっているときのセッティング機構の平面図である。
【図３】図２ａの不動化車と係合している不動化アームについての詳細図である。
【発明を実施するための形態】
【００１７】
図１を参照すると、セッティング機構は、伝統的な方法で、ワインド用ロッド１０の凹部に収容される突起１２ａを有する引きロッド１２と、この引きロッド１２と連係するように構成しているレバー１４と、及びスライドピストン１６とを有する。このスライドピストン１６は、第２のロッド１７の断面が正方形となっている区画１７ａに嵌められており、その区画１７ａに沿って、摺動ピニオン１６がワインド用ピニオン１８と係合するような第１の軸方向の位置から、図２ｂに示しているように摺動ピニオン１６がセッティング用歯車列のセッティング用車１９と係合するような第２の軸方向の位置へと、動くことができるようにされている。
【００１８】
レバー１４には、摺動ピニオン１６の環状の溝１６ａ内に配置される端１４ａがある。セッティング位置に対応する軸方向の位置に配置されるようにワインド用ロッド１０が引かれると、引きロッド１２が回転して、レバー１４を押す。このことによって、摺動ピニオン１６が第２のロッド１７の区画１７ａに沿って摺動するようになる。したがって、摺動ピニオン１６は、ワインダー１８のピニオンから分離されて、セッティング用歯車列のセッティング用車１９と噛み合うようになって、針を駆動する。
【００１９】
本発明に係るセッティング機構は、さらに、セッティング用歯車列を不動化するデバイスを有する。このデバイスは、セッティング用歯車列と、そして、第１及び第２の不動化アーム２２、３０と、連係するように構成している不動化車２０を有する。特に図３を参照すると、不動化車２０には歯列があり、各歯の先端は曲がった輪郭を有する。この不動化車２０の歯列の特定の輪郭によって、一方では、標準的なタイマー車の機能を行うために、時間をセッティングするためのセッティング用車を介して摺動ピニオン１６と歯列が噛み合うことを保持することが可能になり、そして、他方では、第１及び第２の不動化アーム２２、３０によって不動化の角度的な精度を向上させることができる。このために、図３に示しているように、これらの不動化アーム２２、３０はそれぞれ、好ましくは、３０° 〜４０°（境界を含む）の角度にわたる円弧に沿って延在する曲がったエッジを有する部分２８、３２を有し、これらの曲がったエッジを有する部分２８、３２の曲率半径は、基本的に、不動化車２０の末端の円の半径に対応している。不動化アーム２２、３０の曲がったエッジには、微小な歯列が設けられている。これによって、曲がったエッジが不動化車２０の歯列と接するときの不動化車２０の歯列との接点の数を増やしている。このことには、不動化の角度的な精度を向上させるという利点がある。
【００２０】
また、第１及び第２の不動化アーム２２、３０は、重なり合っており、互いに対して突起３６のまわりに回転するようにマウントされている。上側の不動化アーム２２と下側の不動化アーム３０の微小な歯列は、不動化デバイスがロック構成であるときに、ばね２２０、３００によって不動化車２０の歯列の上側部分と下側部分に対してそれぞれ保持される。これらの２つのセットの微小な歯列は、不動化車２０の中心及び２つの不動化アーム２２、３０の回転軸を通り抜ける軸に対して対称的である。したがって、これらの２つのセットの微小な歯列どうしは、反対方向を向いている。
【００２１】
したがって、不動化車２０が時計回り又は反時計回りにそれぞれ回転しようとする傾向があるときに、不動化車２０の歯列と第１又は第２の不動化アーム２２の微小な歯列の間には、ブレーシング効果（bracing effect）がある。したがって、２つの不動化アーム２２、３０は、不動化車の両方の方向へのいずれの回転をも防ぐために必要である。このことによって、伝統的な摩擦システムが耐えることができない大きな衝撃を腕時計が受けたときにも、セッティング用車を確実に不動化させることができる。なお、伝統的なセッティング機構とは対照的に、キャノンピニオンには、「粗いこすり」なしで分車のキャノンに対して単純に調整されることができるという利点があり、このことによって、「粗いこすり」が最適ではないときに、セッティング用歯車列の摩耗の課題や最終歯車列に損傷を与えるリスクを緩和させることができる。
【００２２】
図２ａ及び３を参照すると、第１の不動化アーム２２には、まっすぐなフランク２４がある鼻部２６がある。このフランク２４は、鼻部２６の先端から鈍角を形成している隅部２５まで延在している。一方で、第２の不動化アーム３０には、第２のアームが回転するように構成している平面に対して垂直に延在しているピン３４がある。
【００２３】
セッティング用歯車列を不動化するデバイスは、さらに、不動化車２０をロックしアンロックするように意図されたロック／アンロック用レバー４０を有する。このために、このロック／アンロック用レバー４０は、突起４６のまわりを回転するように構成しており、突起４６のいずれかの側に延在する２つのアーム４２、４４を有する。２つのアーム４２、４４のうちの一方のアーム４２の一方の端は、レバー１４の端１４ａに対向する摺動ピニオン１６の環状の溝１６ａ内に収容される。すなわち、ロック／アンロック用レバー４０のアーム４２のその一方の端及びレバー１４の端１４ａは、セッティング用車１９と噛み合うように意図された摺動ピニオン１６の部分と、ワインド用ピニオン１８と噛み合うように意図された摺動ピニオン１６の部分とを接続するロッドの両側に配置されている。
【００２４】
ロック／アンロック用レバー４０の２つのアームのうちの他方のアーム４４は、遠位部４４ａと近位部４４ｂ（図２ａ）があるクランク機構のアームと類似している。遠位部４４ａには、セッティング用歯車列の不動化デバイスがロック構成となっているときに第１の不動化アーム２２の隅部４５に収容される尖っている端がある。近位部４４ｂは、ワインド用ロッド１０がセッティング位置に動いたときに第２の不動化アーム３０のピン３４に当接するように意図されている。
【００２５】
図２ａでは、セッティング用歯車列の不動化デバイスは、ロック構成となっており、すなわち、不動化車２０が第１及び第２の不動化アーム２２、３０によってロックされており、これによって、腕時計の通常動作時に腕時計が大きな衝撃を受けてもセッティング用歯車列が確実に不動化される。
【００２６】
時間をセッティングすることが必要な場合、ワインド用ロッド１０は、腕時計の稼働位置に対応する第１の軸方向の位置から、腕時計のセッティング位置に対応する第２の軸方向の位置へと動く。ワインド用ロッド１０の軸方向の運動は、引きロッド１２の回転をアクチュエートし、これによって、次に、レバー１４をアクチュエートして、そのレバー１４の端１４ａが、ワインド用ピニオン１８と係合する第１の軸方向の位置から、セッティング用歯車列のセッティング用車１９と係合する第２の軸方向の位置へと、第２のロッド１７の区画１７ａに沿って摺動ピニオン１６を動かす。
【００２７】
この流れにおいて、ロック／アンロック用レバー４０のアーム４２、４４が、第１の軸方向の位置から第２の軸方向の位置へと動くときに、アーム４２の端に対する摺動ピニオン１６の作用のために、反時計回りに突起４６のまわりを回転する。この流れにおいて、アーム４４の遠位部４４ａの尖っている端が、そのフランク２４に沿って動くにしたがって、第１の不動化アーム２２のまっすぐなフランク２４に対して力を与える。これによって、不動化車２０から第１の微小な歯列を分離するようにして突起３６を軸として第１のアーム２２を回転させる。同時に、近位部４４ｂは、第２の不動化アーム３０のピン３４に支えられるようになり、これによって、不動化車２０から第２の微小な歯列を分離する。
【００２８】
図２ｂにおいて、不動化デバイスは、アンロック構成となっており、最終歯車列に損傷を与えるリスクなしで時刻をセッティングすることができる。なぜなら、上記のように、キャノンピニオンは、「粗いこすり」なしで分車のキャノンに対して単純に調整されるからである。
【００２９】
時刻がセッティングされた後は、ワインド用ロッド１０は、第１の軸方向の位置に動き、ロック／アンロック用レバー４０は、その突起４６を軸として時計回りに回転し、このことによって、アーム４４が図２ａに示している位置に戻る。同時に、第１及び第２の不動化アーム２２、３０は、これらの対応する戻しばねによって突起３６のまわりを回転されて、これによって、これらの対応する微小な歯列を不動化車２０の歯列に対向する位置に戻し、それらをそこに保持して、不動化デバイスをロックする。したがって、腕時計は、大きな衝撃に耐えることができる。
【００３０】
当然、本発明は、図面を参照しながら上で説明した実施形態に制限されず、本発明の範囲から逸脱せずに様々な変種を思い描くことができる。例えば、不動化車２０は、タイマー車の機能を行わずに、セッティング用歯車列を不動化する機能のみを行うことができる。したがって、不動化車は、標準的なタイマー車のシャフト上にマウントされるように固定することができ、２つの不動化アームによって不動化することができる。不動化車の歯列は、不動化アームの歯列と連係することのみのための専用のものとすることができ、不動化の角度的な精度を改善させるために歯の数を増やすことができる。また、説明した実施形態によると、摺動ピニオンは、ワインド用ロッドに対して同軸ではない第２のロッドの区画にわたって動くように調整される。ここで、この構造は、特定の計時器用ムーブメントの制約によって決まる。したがって、区画１７ａがワインド用ロッドと一体化された部品の一部であるような本発明に係るセッティング機構があることができる。
【符号の説明】
【００３１】
１０  ワインド用ロッド
１２  引きロッド
１４  レバー
１６  摺動ピニオン
２０  不動化車
２２、３０  不動化アーム
２４  フランク
２８、３２  曲がったエッジを有する部分
３４  ピン
３６  共通軸
４０  ロック／アンロック用レバー
４２  アーム
４６  ピボット
４４ａ  遠位部
４４ｂ  近位部
【図１】
2019066469.tif 000003
【図２ａ】
2019066469.tif 000004
【図２ｂ】
2019066469.tif 000005
【図３】
2019066469.tif 000006